(57)【要約】本発明は、移動無線端末機器のメニュー案内を個別化する方法に関する。メニュー（１０）は移動無線端末機器の画面に表される。メニュー（１０）を例えばキーを用いて制御することができる。さらにメニュー（１０）は階層的に少なくとも２つのメニューレベル（１２，１４，１６，１８）から構成されている。個々のメニュー点（２０，２０ａ，２２，２２ａ，２４，２４ａ，２６，２６ａ）は選択頻度に応じてメニュー階層（１０）においてソートされる。
2006526815.tif 000002
【特許請求の範囲】
【請求項１】
階層的なメニュー制御式の表示を用いる移動無線端末機器のメニュー案内を個別化する方法において、
メニューポイント（２０，２０ａ，２２，２２ａ，２４，２４ａ，２６，２６ａ）を選択頻度に応じてメニュー階層においてソートすることを特徴とする、移動無線端末機器のメニュー案内を個別化する方法。
【請求項２】
前記メニュー案内を中央の移動無線網のコンピュータ制御式の管理ユニットにおいてソートする、請求項１記載の移動無線端末機器のメニュー案内を個別化する方法。
【請求項３】
前記メニュー案内を前記移動無線網のコンピュータ制御式の管理ユニットによって、少なくとも２つの階層レベル（１２，１４，１６，１８）を有する移動無線ポータルとして設定する、請求項２記載の移動無線端末機器のメニュー案内を個別化する方法。
【請求項４】
前記メニューポイント（２０，２０ａ，２２，２２ａ，２４，２４ａ，２６，２６ａ）を前記メニュー階層（１０）において、選択頻度の上昇と共に相応にさらに上に配置する、請求項１から３までのいずれか１項記載の移動無線端末機器のメニュー案内を個別化する方法。
【請求項５】
個々のメニューポイント（２０，２０ａ，２２，２２ａ，２４，２４ａ，２６，２６ａ）の位置が手動でメニュー階層（１０）において変更される、請求項１から４までのいずれか１項記載の移動無線端末機器のメニュー案内を個別化する方法。
【請求項６】
複数の個別のメニュープロフィールが形成される、請求項５記載の移動無線端末機器のメニュー案内を個別化する方法。
【請求項７】
前記メニューポイントを付加的にメニュープロフィールに応じて前記メニュー階層においてソートする、請求項５または６記載の移動無線機器のメニュー案内を個別化する方法。
【請求項８】
個々のメニューポイント（２０，２０ａ，２２，２２ａ，２４，２４ａ，２６，２６ａ）の位置が選択頻度に依存せずに前記メニュー階層（１０）の比較的高いレベルに変更される、請求項１から７までのいずれか１項記載の移動無線端末機器のメニュー案内を個別化する方法。
【請求項９】
選択に依存しない前記個々のメニューポイント（２０，２０ａ，２２，２２ａ，２４，２４ａ，２６，２６ａ）の位置を中央において、コンピュータ制御式の管理ユニットによって比較的高いレベル（１２，１４，１６，１８）に変更する、請求項８記載の移動無線端末機器のメニュー案内を個別化する方法。
【発明の詳細な説明】
【技術分野】
【０００１】
技術分野
本発明は階層的なメニュー制御式の表示を用いる移動無線端末機器のメニュー案内を個別化する方法に関する。
【０００２】
従来技術
移動無線端末機器は通常の場合、画面に表示されるメニューを介して制御される。メニューの個々のメニューポイントは移動無線端末機器のキーを用いて選択される。経験によれば移動無線端末機器のユーザによって選択される個々のメニューポイントはその都度個別の要求に応じて異なる。階層的に構築されているメニューにおいては、ユーザの希望するメニューポイントが階層内の一番下に配置されている場合、ユーザは先ず多数のメニューレベルを通過していかなければならない。
【０００３】
ユーザが通過していかなければならない階層レベルの数は、所望のメニューポイントに到達するためのメニューポイント選択の頻度およびユーザの手間を決定する。これは「クリック距離」とも称される。このクリック距離が長くなればなるほど、そのようなメニューはユーザフレンドリーではなくなる。ユーザは可能な限り迅速に所望のメニューポイントにアクセスしたいと願う。ユーザフレンドリーなメニューは可能な限り短いクリック距離を有する。
【０００４】
発明の開示
したがって本発明の課題は、従来技術による欠点を回避する方法を提供することである。さらに本発明の課題は、可能な限りユーザフレンドリーなメニュー案内を提供することである。
【０００５】
本発明によればこの課題は、メニューポイントが選択頻度に応じてメニュー階層においてソートされる、冒頭で述べたような階層的なメニュー制御式の表示を用いる移動無線端末機器のメニュー案内を個別化する方法によって解決される。
【０００６】
本発明は、最も頻繁に使用されるメニューポイントが階層において一番上に現われるようにそのメニューポイントをソートするという原理に基づく。メニューポイントはユーザによって選択されなくなればなるほど、そのメニューポイントはメニュー階層においてますます下に移動されるようになる。
【０００７】
本発明による方法のメニュー案内が中央で移動無線網のコンピュータ制御式の管理ユニットにおいてソートされる場合には、本発明の有利な実施形態であることが判明した。メニューは時間が経過する内にいずれにせよ部分的に中央でコンピュータ制御式の管理ユニットにおいて管理されるので、メニューをこの管理ユニットにおいても個別に適切にソートすることができる。
【０００８】
本発明の適切な実施形態においては、メニュー案内が移動無線網のコンピュータ制御式の管理ユニットによって、少なくとも２つの階層レベルを有する移動無線ポータルとして設定される。各移動無線端末機器は先ず移動無線ポータルに到達し、この移動無線ポータルの外観は例えば全てのユーザに対して画一的であるか、所定のユーザ区分に対して調節されている。
【０００９】
本発明による方法の有利な実施形態においては、メニューポイントがメニュー階層において選択頻度の上昇と共に相応にさらに上へと配置される。この措置によって、最も頻繁に選択されるメニューポイントに最小限の「クリック」でアクセスできることが保証される。これによってこのメニューポイントに可能な限り迅速にアクセスできる場合にはユーザフレンドリー性が高まる。
【００１０】
本発明によればメニューは選択頻度に応じて自動的且つ個別に調整される。しかしながらそれにもかかわらずユーザにとってはあるメニューポイントがもはや現われない、または別の階層レベルに現われることが望ましい場合もある。したがって本発明の有利な実施形態においては、個々のメニューポイントの位置を手動でメニュー階層内で変更することができる。
【００１１】
別の実施形態においては、複数の個別のメニュープロフィールを形成することができる。要求に応じて、ユーザは今まさに必要としている適切なプロフィールを呼び出すことができる。このようにして、例えば仕事用のメニュープロフィールまたプライベートな目的用のメニュープロフィールを形成することができる。
【００１２】
有利には、これらのメニュープロフィールもやはりメニュー階層において自動的に、例えば目下の時刻、日付（平日／休日）および滞在地に応じてソートすることができる。さらにはユーザは所望のメニュープロフィールを手動で選択することができる。
【００１３】
メニューの個別化に関して、選択頻度に依存せずに個々のメニューポイントの位置がメニュー階層の比較的高いレベルに変更される場合にはユーザにとって有利であることが判明した。つまり例えば、移動無線のプロバイダはユーザを個別化の際に支援することができる。殊にこのことは、適切に中央のコンピュータ制御式の管理ユニットによって実施することができる。
【００１４】
さらなる利点は従属請求項の対象からもたらされる。
【００１５】
図面の簡単な説明
図１は階層的に配置されているメニューの原理略図を示し、
図２は個別化されたメニューの原理略図を示す。
【００１６】
実施例の説明
図１には参照番号１０についての本発明による方法のための階層的なメニューが示されている。このメニュー１０は本実施例においては階層的に配置されている４つのメニューレベル１２，１４，１６，１８から構成されている。個々のメニューレベル１２，１４，１６，１８にはやはりメニューポイント２０，２２，２４，２６が設けられている。
【００１７】
メニューレベル１２，１４，１６，１８の個々のメニューポイントには、例えば適切なカーソル１３を用いる移動によって容易にアクセスすることができる。メニューレベル１２，１４，１６，１８の選択されたメニューポイント２０ａ，２２ａ，２４ａ，２６ａがハッチングされて表されている。所望のメニューポイント２０ａ，２２ａ，２４ａ，２６ａをクリックすることによって、ユーザは次に深いメニューレベル１４，１６ないし１８に到達することができる。
【００１８】
メニューレベル１４，１６，１８へのカーソル１３の移動は線１４ａ，１６ａ，１８ａによって表されている。カーソル１３の移動およびメニューポイント２０，２２，２４，２６のクリックは例えば移動無線端末機器のキーを介して行われる。メニュー１０の次に深い階層レベルにおいては新たにメニューポイント２０，２２，２４，２６をクリックによって選択することができ、その結果さらに深いメニューレベル１４，１６ないし１８にアクセスすることができる。この方法を、所望の機能または情報、例えばメニューポイント２６ａが現われるまで継続することができる。最初に選択されたメニューポイント２０ａから最後に選択されたメニューポイント２６ａまでの間隔３０がクリック距離と称される。クリック距離は本実施例において矢印でもって象徴的に表されている。
【００１９】
図２に基づいて本発明による方法のシーケンスを説明する。図２には図１とは異なり個別化されたメニュー１０が示されている。メニュー１０は以下の方法により配置変更される。
【００２０】
メニューポイント２６ａがますます頻繁に選択されるようになると、このメニューポイント２６ａの位置は自動的にメニュー１０の階層構造においてさらに上に変更される。メニューポイントの位置を変更する過程が矢印３２でもって表されている。最も頻繁に選択されたメニューレベル１２，１４，１６，１８のメニューポイント２０，２２，２４，２６がメニュー構造において一番上ないし先頭に存在する。これによって、ユーザはもはや図１に示されているように所望のメニューポイント、例えば２６ａにアクセスするために、全てのメニューレベル１２，１４，１６，１８を通過するようクリックする必要はない。ユーザは最短経路で所望のメニューポイント２６ａにアクセスすることができる。クリック距離の間隔３０は可能な限り短縮される。
【００２１】
メニュー構造の管理は移動無線網の中央のコンピュータ制御式の管理ユニットにおいて行われる。移動無線網のプロバイダはメニュー構造を移動無線ポータルとして提供する。移動無線ポータルはコンピュータ制御式の管理ユニットによって、移動無線網を介して移動無線端末機器へと伝送される。
【００２２】
メニューポイント２６ａがより頻繁に選択されるようになると、このメニューポイント２６ａはメニュー構造の階層においてより高くに移動される。これによって最も頻繁に使用されるメニューポイント２６ａに最も迅速にアクセスすることができる。しかしながらまた幾つかのメニューポイントはユーザにとって短期間しか関心がない可能性がある。例えば休暇時に休暇地についての情報が頻繁に選択されるが、これに属するメニューポイントは休暇後には通常の場合もはや必要とされない。差し当たり相応のメニューポイントがメニュー階層において上に到達するが、そのメニュー階層においてこれらのメニューポイントは休暇後にもはや使用されない。したがって、これらのメニューポイントの位置をメニュー構造において別の深いメニューレベル、例えば１６または１８に手動で変更することができる。
【００２３】
必要に応じて相応のメニューポイントの位置を適切なイベントを介して管理ユニットにより自動的に本来の位置に変更することができる。そのようなイベントは例えば所定の期間の経過である。相応のメニューポイントが新たに使用されずにその期間が経過すると、このメニューポイントの位置は再び本来の位置またはメニュー１０のその他の場所に変更される。
【００２４】
移動無線端末機器に対して複数のメニュープロフィールを格納することができる。このことは、仕事用のメニュー案内および在宅時用の別のメニュー案内を設けることができるという利点を有する。１つの移動無線端末機器を使用する複数の人間がそれぞれ個別の異なるメニュー案内を使用することもできる。
【図面の簡単な説明】
【００２５】
【図１】階層的に配置されているメニューの原理略図。
【図２】個別化されたメニューの原理略図。
【図１】
2006526815.tif 000003
【図２】
2006526815.tif 000004
【国際調査報告】
2006526815.tif 000005
2006526815.tif 000006
2006526815.tif 000007
2006526815.tif 000008
2006526815.tif 000009
2006526815.tif 000010